(57)【要約】【課題】ハンドルを使って持ち運ぶ際の先当たり時での破損を防止すると共に、装置に対するハンドルの取付強度を向上させる。【解決手段】情報処理手段が内蔵された筐体１と、筐体１の一側面に配されたハンドル４と、筐体１の前記一側面に突出して配され、ハンドル４を支持する支持部材４１及び４２とを備えている。支持部材４１及び４２は、一側面から、当該一側面におけるハンドル４の架橋方向に隣接する一対の他側面にかけて、連続的に配され、一側面と他側面との間には、角部４１ｃ及び４２ｃを備える。これにより、使用者がハンドルを把持してノートパソコンを運搬する時などにおいて生じる筐体とハンドルとの間にかかる応力を分散させることができ、筐体に対するハンドルの取付強度を向上させることができる。【選択図】図４
2010079884.tif 000002
【特許請求の範囲】
【請求項１】
情報処理手段が内蔵された筐体と、
前記筐体の一側面に配されたハンドルと、
前記筐体の前記一側面に突出して配され、前記ハンドルを支持する支持部材とを備え、
前記支持部材は、
前記一側面から、当該一側面における前記ハンドルの架橋方向に隣接する一対の他側面にかけて、連続的に配され、
前記一側面と前記他側面との間には、屈曲部分を備える、情報処理装置。
【請求項２】
前記支持部材は、一対の外郭部材を含み、
前記筐体は、前記一側面から前記支持部材の突出方向に突出するリブを備え、
前記リブは、前記筐体に一体形成され、
前記一対の外郭部材は、前記リブを挟持するように配されている、請求項１記載の情報処理装置。
【請求項３】
前記リブは、前記他側面における前記一側面側の一部に、前記ハンドルの架橋方向にも突出する、請求項２記載の情報処理装置。
【請求項４】
前記外郭部材は、前記屈曲部分の肉厚を、他の部分の肉厚よりも厚くした、請求項２記載の情報処理装置。
【請求項５】
前記情報処理手段で処理された情報に基づく画像を表示する表示部を配した第２の筐体と、
前記筐体及び前記第２の筐体の回動により、前記筐体及び前記表示部を離隔した第１の状態と、前記筐体に前記表示部を密接させた第２の状態とを形成し得る回動軸とをさらに備え、
前記第２の状態において、前記支持部材の前記一側面側及び前記屈曲部分は、前記第２の筐体の周縁部より突出して配されている、請求項１〜４のうちいずれか一項に記載の情報処理装置。
【発明の詳細な説明】
【技術分野】
【０００１】
本発明は、使用者により把持可能なハンドルを備えた情報処理装置に関する。
【背景技術】
【０００２】
従来、携帯性を重視したパソコンは、ハンドルを搭載したノートパソコンが商品化されている。そのハンドルは、保持金具に固定されている。保持金具は、パソコンの筐体にビスで固定されている。
【０００３】
特開平８−０８７３５１号公報は、携帯型コンピュータを収納するキャリングケースを開示している。
【先行技術文献】
【特許文献】
【０００４】
特開平８−０８７３５１号公報
【発明の概要】
【発明が解決しようとする課題】
【０００５】
ハンドルを製品に保持するための金具は、製品外郭部材にビスで締結され、ハンドルにかかる衝撃および荷重に耐える機能を有するのみであり、使用者がハンドルを使ってパソコンを持ち運ぶ際の製品外郭を保護する構造にはなっていなかった。また、金具は、ハンドルにかかる荷重を支える必要性に基づき、局部的なストレスに耐えるために強固な外郭部材構造を必要としている。
【０００６】
さらに、使用者がハンドルを把持してパソコンを運搬等した後で、当該パソコンを机等に載置する際、パソコンの角部等が先ず載置面に当接することが多く、パソコンに傷や破損等が発生しやすい。以下、パソコンの角部等が先に載置面等に当接する現象を、「先当たり現象」と称する。
【０００７】
また、先当たりによる傷や破損等の製品に与えるダメージを抑制するためには、上述のハンドルにかかる荷重を支える必要性以外に、さらに製品とハンドルとの締結構造の強度を向上しなければならない。したがって、パソコンが大型化したり、重量が増加したりするという課題がある。
【０００８】
本発明は、ハンドルを使って持ち運ぶ際の先当たり時での破損を防止すると共に、重量を大幅増加させることなく、薄肉外郭部材でも具現化することができる情報処理装置を実現することを目的とする。
【課題を解決するための手段】
【０００９】
本発明の情報処理装置は、情報処理手段が内蔵された筐体と、前記筐体の一側面に配されたハンドルと、前記筐体の前記一側面に突出して配され、前記ハンドルを支持する支持部材とを備え、前記支持部材は、前記一側面から、当該一側面における前記ハンドルの架橋方向に隣接する一対の他側面にかけて、連続的に配され、前記一側面と前記他側面との間には、屈曲部分を備えるものである。
【発明の効果】
【００１０】
本発明により、ハンドルを使って持ち運ぶ際の先当たり時での破損を防止すると共に、重量を大幅増加させることなく、薄肉外郭部材でも具現化することが可能になる。
【図面の簡単な説明】
【００１１】
【図１】本実施の形態における情報処理装置の外観を示す斜視図（第１の状態）
【図２】本実施の形態における情報処理装置の外観を示す斜視図（第２の状態）
【図３】本実施の形態における情報処理装置の外観を示す平面図（第２の状態）
【図４】本実施の形態における情報処理装置の第１の筐体の平面図
【図５Ａ】本実施の形態における情報処理装置の分解斜視図
【図５Ｂ】図５Ａにおけるリブ及び外郭部材の近傍の拡大斜視図
【図５Ｃ】図５Ａにおけるリブ及び外郭部材の近傍の拡大斜視図
【図５Ｄ】図５Ａにおける外郭部材の近傍の拡大斜視図
【図５Ｅ】図５Ａにおける外郭部材の近傍の拡大斜視図
【図６】外郭部材の断面図
【図７】外郭部材の断面図
【発明を実施するための形態】
【００１２】
本発明の情報処理装置は、情報処理手段が内蔵された筐体と、前記筐体の一側面に配されたハンドルと、前記筐体の前記一側面に突出して配され、前記ハンドルを支持する支持部材とを備え、前記支持部材は、前記一側面から、当該一側面における前記ハンドルの架橋方向に隣接する一対の他側面にかけて、連続的に配され、前記一側面と前記他側面との間には、屈曲部分を備えるものである。
【００１３】
本発明の情報処理装置は、上記構成を基本として、以下のような態様をとることができる。
【００１４】
本発明の情報処理装置において、前記支持部材は、一対の外郭部材を含み、前記筐体は、前記一側面から前記支持部材の突出方向に突出するリブを備え、前記リブは、前記筐体に一体形成され、前記一対の外郭部材は、前記リブを挟持するように配されている構成とすることができる。このような構成とすることにより、使用者がハンドルを把持して本装置を運搬している時などにおいて、本装置に対して捻れ方向の力が加わったとしても、容易に支持部材が筐体から離脱することがない構成を実現できる。
【００１５】
本発明の情報処理装置において、前記リブは、前記他側面における前記一側面側の一部に、前記ハンドルの架橋方向にも突出する構成とすることができる。
【００１６】
本発明の情報処理装置において、前記支持部材は、前記筐体の前記一側面と前記他側面との間の屈曲部分の肉厚を、他の部分の肉厚よりも厚くする構成とすることができる。このような構成とすることで、誤って支持部材の角部を壁などに衝突させてしまったとしても、支持部材が容易に破損することを防止することができる。
【００１７】
本発明の情報処理装置において、前記情報処理手段で処理された情報に基づく画像を表示する表示部を配した第２の筐体と、前記筐体及び前記第２の筐体の回動により、前記筐体及び前記表示部を離隔した第１の状態と、前記筐体に前記表示部を密接させた第２の状態とを形成し得る回動軸とをさらに備え、前記第２の状態において、前記支持部材の前記一側面側及び前記屈曲部分は、前記第２の筐体の周縁部より突出して配されている構成とすると、第２の筐体が優先的に先当たりすることで第２の筐体に歪みが生じ、この歪みに起因して回動軸に与える損傷を抑制することができる。
【００１８】
（実施の形態）
〔１．情報処理装置の構成〕
図１は、本実施の形態の情報処理装置の外観を示す斜視図である。図１は、情報処理装置の一例であるノートパソコンの第１の状態を示す。図２は、本実施の形態におけるノートパソコンの第２の状態を示す斜視図である。図３は、本実施の形態の情報処理装置における第１の筐体１の平面図である。なお、本実施の形態では、情報処理装置の一例としてノートパソコンを挙げたが、携帯電話端末や医療機器などのように、少なくとも使用者が手で把持可能なハンドルを備えた携帯型の情報処理装置であればよい。
【００１９】
図１に示すように、ノートパソコンは、第１の筐体１と第２の筐体２とを備えている。第１の筐体１は、各種電気素子が実装された回路基板やハードディスクドライブなどを内蔵している。第２の筐体２は、液晶ディスプレイ２ａを備えている。第１の筐体１と第２の筐体２とは、ヒンジ部３によって互いに回動自在に支持されている。ヒンジ部３は、第１の筐体１と第２の筐体２とを回動自在に支持する回動軸を備えている。第２の筐体２を、図１に示す位置（第１の状態）から矢印Ａに示す方向へ回動させることで、図２に示す位置（第２の状態）へ移行させることができる。また、第２の状態において第２の筐体と対向する第１の筐体の面を「上側」と規定すると、第１の筐体１の上面１ａにはキーボード５とポインティングデバイス６とを備えている。キーボード５は、各種文字の入力操作が可能である。ポインティングデバイス６は、液晶ディスプレイ２ａに表示されるカーソルを所望の位置へ移動する操作が可能である。また、第２の状態においてハンドル４側を「前側」と規定すると、第１の筐体１における前側の側面（以下、第１の筐体の前面と称す）１ｄには、ハンドル４を支持する支持部材４１及び４２が固定されている。ハンドル４は、支持部材４１及び４２に架橋されている。支持部材４１及び４２は、前面１ｄから、前面１ｄにおけるハンドル４の架橋方向に隣接する側面１ｂ及び１ｃにかけて、連続的に備わる。また、第１の筐体１は、支持部材４１及び４２を備えていることにより、図２及び図３に示すようにノートパソコンを第２の状態にした時、寸法Ｗ１（図３参照）分、第２の筐体２に対して突出する。なお、「架橋方向」とは、図３における矢印Ｆに示す方向であり、本実施の形態ではハンドル４の長手方向と同じ方向である。
【００２０】
ハンドル４は、使用者が手で把持可能である。使用者は、ハンドル４を手で把持することにより、ノートパソコンを手で持って運搬することができる。また、ハンドル４は、その長手方向の両端がそれぞれ支持部材４１及び４２に支持されている。
【００２１】
図４は、第１の筐体１の上面１ａ側の平面図である。図４に示すように、支持部材４１は、固定部４１ａと固定部４１ｂとを備えている。固定部４１ａは、第１の筐体１の前面１ｄ側に固定されている。固定部４１ｂは、第１の筐体１の側面１ｂ側に固定されている。固定部４１ａと固定部４１ｂとの間には、角部４１ｃが備わる。支持部材４２は、固定部４２ａと固定部４２ｂとを備えている。固定部４２ａは、第１の筐体１の前面１ｄ側に固定されている。固定部４２ｂは、第１の筐体１の側面１ｃ側に固定されている。固定部４２ａと固定部４２ｂとの間には、角部４２ｃが備わる。すなわち、支持部材４１及び４２は、第１の筐体１の角部に沿って連続的に配置することができるように、略Ｌ字状に形成されている。支持部材４１及び４２は、アルミニウムやマグネシウムなどの軽量な金属で形成されていることが好ましく、特にマグネシウムまたはマグネシウムを主成分とする合金を適用すると硬度が高いためハンドル機構の強度を強めることができ、望ましい。
【００２２】
〔２．ハンドル機構の構成〕
図５Ａは、本実施の形態のハンドル機構の分解斜視図を示す。図５Ａに示すように、本実施の形態のハンドル機構は、ハンドル４、外郭部材４３及び４４、外郭部材４５及び４６を備えている。ハンドル機構は、第１の筐体１に備わる。ハンドル機構は、それぞれリブ１１、１２に支持されている。リブ１１は、側面１ｂ及び前面１ｄの一部から板状に突出している。リブ１２は、側面１ｃ及び前面１ｄの一部から板状に突出している。図５Ｂは、図５Ａにおけるリブ１１、及びリブ１１の下側の外郭部材４４近傍の拡大斜視図である。図５Ｃは、図５Ａにおけるリブ１２、及びリブ１２の下側の外郭部材４６近傍の拡大斜視図である。図５Ｄは、図５Ａにおけるリブ１１の上側の外郭部材４３近傍の拡大斜視図である。図５Ｅは、図５Ａにおけるリブ１２の上側の外郭部材４５近傍の拡大斜視図である。
【００２３】
図５Ｂに示すように、第１の筐体１における支持部材４１が固定される部位には、リブ１１が形成されている。リブ１１は、第１の筐体１における前面１ｄから側面１ｂにかけて連続的に形成されている。リブ１１は、第１の筐体１に一体的に備わる。リブ１１は、第１の筐体１の側面１ｂから、ハンドル４の架橋方向（図３の矢印Ｆに示す方向）に突出している。リブ１１には、孔部１１ａ及び１１ｂ（孔部１１ｂは不図示）が形成されている。
【００２４】
図５Ｃに示すように、第１の筐体１における支持部材４２が固定される部位には、リブ１２が形成されている。リブ１２は、第１の筐体１における前面１ｄから側面１ｃにかけて連続的に形成されている。リブ１２は、第１の筐体１に一体的に備わる。リブ１２は、第１の筐体１の側面１ｃから、ハンドル４の架橋方向（図３における矢印Ｆに示す方向）に突出している。リブ１２には、孔部１２ａ及び１２ｂが形成されている。
【００２５】
孔部１１ｂ，１２ｂは、ネジ４７を挿通可能な内径を有する。孔部１１ａは、リブ１１に形成された円筒状のボス１１ｃに形成されている。孔部１２ａは、リブ１２に形成された円筒状のボス１２ｃに形成されている。孔部１１ａは、外郭部材４４に形成されたボス４４ａを嵌合可能な内径を有する。孔部１２ａは、外郭部材４６に形成されたボス４６ａを嵌合可能な内径を有する。
【００２６】
図５Ａに示すように、支持部材４１は、略Ｌ字状の外郭部材４３及び４４を備えている。外郭部材４３は、リブ１１の上面側に配される。外郭部材４４は、リブ１１の下面側に配される。すなわち、外郭部材４３と外郭部材４４とで、リブ１１を挟持している。図５Ｄに示すように、外郭部材４３の内面（リブ１１の上面に対向する面）には、ネジ穴４３ａ，４３ｂ，４３ｃが形成されている。ネジ穴４３ａ，４３ｂ，４３ｃは、ネジ４７を螺合可能である。図５Ｂに示すように、外郭部材４４の内面（リブ１１の下面に対向する面）には、孔部４４ｂ，４４ｃ，４４ｄが形成されている。孔部４４ｂ，４４ｃ，４４ｄは、ネジ４７を挿通可能な内径を有する。孔部４４ｄは、円筒状のボス４４ａに形成されている。
【００２７】
図５Ａに示すように、支持部材４２は、略Ｌ字状の外郭部材４５及び４６を備えている。外郭部材４５は、リブ１２の上面側に配される。外郭部材４６は、リブ１２の下面側に配される。すなわち、外郭部材４５と外郭部材４６とで、リブ１２を挟持する。図５Ｅに示すように、外郭部材４５の内面（リブ１２の上面に対向する面）には、ネジ穴４５ａ，４５ｂ，４５ｃが形成されている。ネジ穴４５ａ，４５ｂ，４５ｃは、ネジ４７を螺合可能である。図５Ｃに示すように、外郭部材４６の内面（リブ１２の下面に対向する面）には、孔部４６ｂ，４６ｃ，４６ｄが形成されている。孔部４６ｂ，４６ｃ，４６ｄは、ネジ４７を挿通可能な内径を有する。孔部４６ｄは、円筒状のボス４６ａに形成されている。
【００２８】
図５Ａに示すように、ハンドル４は、把持部４ｅの長手方向端部にそれぞれ支持部４ａ及び４ｂを備えている。支持部４ａには、ボス１１ｃに嵌合可能な内径を有する孔部４ｃが形成されている。支持部４ｂには、ボス１２ｃに嵌合可能な内径を有する孔部４ｄが形成されている。
【００２９】
上記のように構成されたハンドル機構を組み立てる際は、まず、外郭部材４３をリブ１１の上面側に配置し、外郭部材４４をリブ１１の下面側に配置する。また、ハンドル４の支持部４ａをリブ１１と外郭部材４３との間に配置する。この時、ネジ穴４３ｂと孔部４４ｃとの位置が重なり、ネジ穴４３ｃと孔部１１ｂと孔部４４ｂとの位置が重なり、ネジ穴４３ａと孔部４ｃと孔部１１ａと孔部４４ｄとの位置が重なるように、外郭部材４３及び４４を配置する。
【００３０】
次に、ネジ４７を、外郭部材４４の下面側から孔部４４ｃを挿通させ、ネジ穴４３ｂに螺合させる。また、他のネジ４７を、外郭部材４４の下面側から孔部４４ｂ，孔部１１ｂを挿通させ、ネジ穴４３ｃに螺合させる。また、他のネジ４７を、外郭部材４４の下面側から孔部４４ｄ，孔部１１ａ，孔部４ｃを挿通させて、ネジ穴４３ａに螺合させる。これにより、外郭部材４３及び４４とハンドル４における支持部４ａ側を、第１の筐体１に固定することができる。
【００３１】
なお、支持部４ａに形成された孔部４ｃは、ボス１１ｃの外周円筒面に遊嵌しているため、支持部４ａはボス１１ｃを軸に回動自在に支持されている。
【００３２】
次に、外郭部材４５をリブ１２の上面側に配置し、外郭部材４６をリブ１２の下面側に配置する。また、ハンドル４の支持部４ｂをリブ１２と外郭部材４５との間に配置する。この時、ネジ穴４５ｂと孔部４６ｃとの位置が重なり、ネジ穴４５ｃと孔部１２ｂと孔部４６ｂとの位置が重なり、ネジ穴４５ａと孔部４ｄと孔部１２ａと孔部４６ｄとの位置が重なるように、外郭部材４５及び４６を配置する。
【００３３】
次に、ネジ４７を、外郭部材４６の下面側から孔部４６ｃを挿通させ、ネジ穴４５ｂに螺合させる。また、他のネジ４７を、外郭部材４６の下面側から孔部４６ｂ及び孔部１２ｂを挿通させ、ネジ穴４５ｃに螺合させる。また、他のネジ４７を、外郭部材４６の下面側から孔部４６ｄ，孔部１２ａ，孔部４ｄを挿通させて、ネジ穴４５ａに螺合させる。これにより、外郭部材４５及び４６とハンドル４における支持部４ｂ側を、第１の筐体１に固定することができる。
【００３４】
なお、支持部４ｂに形成された孔部４ｄは、ボス１２ｃの外周円筒面に遊嵌しているため、支持部４ｂはボス１２ｃを軸に回動自在に支持されている。
【００３５】
以上により、図４に示すようにハンドル機構を第１の筐体１に固定することができる。なお、本実施の形態では、支持部材４１側を組み立てた後、支持部材４２側を組み立てる工程としたが、支持部材４２側を組み立てた後、支持部材４１側を組み立てる工程としてもよい。また、支持部材４１側と支持部材４２側とを同時に組み立てる工程としてもよい。
【００３６】
〔３．ノートパソコンに対する力のかかり方〕
次に、本実施の形態のノートパソコンに対する力のかかり方について説明する。
【００３７】
図３において、使用者が手でハンドル４を把持してノートパソコンを持ち上げた場合、ハンドル機構には、矢印Ｂに示す方向の力と、矢印Ｃに示す方向のノートパソコンの自重による力が生じ、第１の筐体１と支持部材４１及び４２との間に応力が生じる。本実施の形態では、図４等に示すように、ハンドル４を保持する支持部材４１が第１の筐体１の前面１ｄから側面１ｂにかけて連続的に配し、支持部材４２が第１の筐体１の前面１ｄから側面１ｃにかけて連続的に配した構成としたことで、支持部材４１及び４２と第１の筐体１との間に働く応力を分散させることができる。したがって、ハンドル機構の取付強度を、従来のハンドル機構（第１の筐体１の前面１ｄのみに固定されている機構）に比べて向上させることができる。
【００３８】
また、使用者がハンドル４を把持した状態で、ノートパソコンに捻れ方向（図２における矢印ＤまたはＥに示す方向）の力が印加された場合、ノートパソコンにはその厚さ方向へのモーメントが生じる。第１の筐体１に対するハンドル４の取り付け構造を、従来のように第１の筐体１における前面１ｄのみに固定する取り付け構造とすると、このモーメントに抗するためには取り付け構造を例えば大型化して強固にする必要がある。本実施の形態では、支持部材４１及び４２で第１の筐体１の一部であるリブ１１，１２を挟んで、第１の筐体１の厚さ方向にネジ４７で固定する構成としたので、このモーメントに起因する捻れは、第１の筐体１と一体に構成したリブ１１，１２に事実上印加されるため、上記のような厚さ方向へのモーメントが生じたとしても、支持部材４１及び４２が第１の筐体１から離脱したり破損したりすることを軽減することができる。よって、ハンドル４の取付強度を向上させることができる。さらに、本実施の形態では、リブ１１、１２を第１の筐体１に一体形成したので、第１の筐体１に対するハンドル４の取付強度をさらに向上させることができる。
【００３９】
また、使用者がハンドル４を把持してノートパソコンを運搬している時などにおいて、誤って壁などにノートパソコンを衝突させてしまった場合、ノートパソコンの角部が優先的に壁などに当接することが多い。本実施の形態では、第１の筐体１の角部に支持部材４１及び４２を備えたことにより、ノートパソコンを誤って壁などに衝突させてしまった場合、その衝撃を支持部材４１及び４２で受けることができる。したがって、支持部材４１及び４２は、衝突による衝撃を吸収し、第１の筐体１に伝わりにくくすることができる。また、支持部材４１及び４２は、衝突による衝撃を吸収したり、衝突による衝撃により破損したりすることで、第１の筐体１の角部の変形や破損を低減することができる。支持部材４１及び４２は、第１の筐体１に対して別部材であるため、衝突時に支持部材４１及び４２が破損したとしても、容易に新しい支持部材に交換することができる。
【００４０】
また、使用者がハンドル４を把持してノートパソコンを運搬している時などにおいて、誤って壁などにノートパソコンを衝突させてしまった場合、ノートパソコンの角部が優先的に壁などに当接することが多い。ノートパソコンが第２の状態のときに、第１の筐体１における角部と第２の筐体２における角部とが重なる形状とした場合、第２の筐体２の角部が壁などに当接することがある。すると、第２の筐体２に衝撃力が印加され、歪みが発生する。この歪みは、ヒンジ部３に伝搬し、ヒンジ部３に損傷を与えることがある。ヒンジ部３が損傷を受けると、第１の筐体１と第２の筐体２との回動動作に悪影響を及ぼす。さらに、ヒンジ部３が大きい衝撃力を受けると、第１の筐体１と第２の筐体２との間に復元不可能なずれを発生する。そこで、本実施の形態のノートパソコンは、図３に示すように、第１の筐体１に支持部材４１及び４２を備え、第１の筐体１側が第２の筐体２側よりも寸法Ｗ１突出している。したがって、使用者がハンドル４を把持してノートパソコンを運搬している時などにおいて、誤って壁などにノートパソコンを衝突させてしまった場合、第２の筐体２よりも第１の筐体１側が先に壁などに衝突する。特に、支持部材４１の角部４１ｃまたは支持部材４２の角部４２ｃが壁などに衝突する可能性が高い。したがって、衝突時の衝撃を支持部材４１または４２である程度吸収し、ヒンジ部３に伝わりにくくすることができる。よって、第１の筐体１と第２の筐体２との間に復元不可能なずれを発生しにくくすることができる。
【００４１】
本実施の形態では、図６及び図７に示すように、支持部材４１及び４２の角部４１ｃ及び４２ｃを、次に説明するように他の部分よりも肉厚を厚く構成することで補強した。図６は、支持部材４１における外郭部材４３の水平方向の断面図である。図７は、外郭部材４４の水平方向の断面図である。図６及び図７に示すように、角部４１ｃに相当する部分は、他の部位の厚さＴ２よりも厚さＴ１に示すように肉厚を厚くした厚肉部４３ｅ及び４４ｅが形成されている。このような構成とすることで、支持部材４１の角部４１ｃが壁などに当接したとしても、支持部材４１が容易に破損しない。さらに、支持部材４１をマグネシウムなどのように強度が高い金属材料で形成することで、支持部材４１に凹みや割れなどを抑制することができる。
【００４２】
なお、図示は省略しているが、支持部材４２の角部４２ｃにも上記と同様の厚肉部が形成されている。また、図６及び図７において、開口部４３ｆ及び４４ｆは、ハンドル４の支持部４ａを配置するための空間である。開口部４３ｇ及び４４ｇは、スライドスイッチなどの各種操作部材などを配置するための空間である。
【００４３】
〔４．実施の形態の効果、他〕
本実施の形態は、支持部材４１を第１の筐体１の前面１ｄから側面１ｂにかけて、ハンドル４の架橋方向に連続的に配した。また、支持部材４２を第１の筐体１の前面１ｄから側面１ｃにかけて、ハンドル４の架橋方向に連続的に配した。これにより、使用者がハンドル４を把持してノートパソコンを運搬する時などにおいて生じる第１の筐体１とハンドル機構との間にかかる応力を分散させることができ、第１の筐体１に対するハンドル４の取付強度を向上させることができる。
【００４４】
また、支持部材４１及び４２を第１の筐体１の角部に配置したことにより、第１の筐体１の角部を誤って壁などに衝突させてしまったとしても、衝突による衝撃を吸収し、第１の筐体１に伝わりにくくすることができる。また、支持部材４１及び４２は、衝突による衝撃を吸収したり、衝突による衝撃により破損したりすることで、第１の筐体１の角部の変形や破損を低減することができる。支持部材４１及び４２は、第１の筐体１に対して別部材であるため、衝突時に支持部材４１及び４２が破損したとしても、容易に新しい支持部材に交換することができる。
【００４５】
また、支持部材４１を構成している外郭部材４３と外郭部材４４とで第１の筐体１のリブ１１を挟持し、支持部材４２を構成している外郭部材４５と外郭部材４６とで第１の筐体１のリブ１２を挟持する構成とした。また、リブ１１及び１２を、第１の筐体１に一体形成した。これにより、使用者がハンドル４を把持してノートパソコンを運搬する時などにおいて捻れ方向の力が加わったとしても、支持部材４１及び４２が容易に第１の筐体１から離脱したり破損したりすることを軽減することができる。
【００４６】
また、本実施の形態では、支持部材４１及び４２の角部４１ｃ及び４２ｃ（外郭部材４３、４４、４５、４６の角部）における肉厚を、他の部位の肉厚よりも厚くした。これにより、使用者がノートパソコンのハンドル４を把持して運搬している時に、角部４１ｃまたは４２ｃを誤って壁などに衝突させてしまったとしても支持部材４１または４２が破損することを軽減することができる。また、肉厚を厚くするだけでよいため、部品点数が増加することがなく、大幅なコストアップを行わずに、支持部材４１及び４２の強度を高めることができる。
【００４７】
なお、本実施の形態では、支持部材４１及び４２を第１の筐体１に固定したが、第２の筐体２に固定することができる。
【００４８】
また、本実施の形態では、ハンドル４を第１の筐体１の前面１ｄに対向する位置に位置するように支持部材４１及び４２を配したが、支持部材４１及び４２、ハンドル４の配置位置はこれに限らない。
【００４９】
また、本実施の形態では、支持部材４１及び４２における角部４１ｃ及び４２ｃのみに厚肉部４３ｅ及び４４ｅを設けたが、支持部材４１及び４２の全体を厚肉に形成しても同様の効果が得られる。
【００５０】
また、リブ１１は、必ずしも第１の筐体１における前面１ｄから側面１ｂにかけて連続的に形成されている必要はなく、少なくとも前面１ｄと側面１ｂとに備わっていればよい。例えば、リブ１１は、前面１ｄと側面１ｂとに、各々独立して備わっていてもよい。
【００５１】
また、リブ１１は、必ずしも側面１ｂから突出している必要はなく、リブ１１に固定された支持部材４１が側面１ｂから突出しないようにリブ１１を備えることが好ましい。そのためには、例えば、側面１ｂに凹状部を備え、その凹状部内にリブ１１を備えることにより実現することができる。支持部材４１を側面１ｂから突出しないように備えることで、ノートパソコンを鞄などのケースに収納または取り出す際に、支持部材４１がケースの一部に引っ掛かりにくくすることができ、スムーズに収納または取り出すことができる。
【００５２】
また、リブ１２は、必ずしも第１の筐体１における前面１ｄから側面１ｃにかけて連続的に形成されている必要はなく、少なくとも前面１ｄと側面１ｃとに備わっていればよい。例えば、リブ１２は、前面１ｄと側面１ｃとに、各々独立して備わっていてもよい。
【００５３】
また、リブ１２は、必ずしも側面１ｃから突出している必要はなく、リブ１２に固定された支持部材４２が側面１ｃから突出しないようにリブ１２を備えることが好ましい。そのためには、例えば、側面１ｃに凹状部を備え、その凹状部内にリブ１２を備えることにより実現することができる。支持部材４２を側面１ｃから突出しないように備えることで、ノートパソコンを鞄などのケースに収納または取り出す際に、支持部材４２がケースの一部に引っ掛かりにくくすることができ、スムーズに収納または取り出すことができる。
【００５４】
また、本実施の形態における第１の筐体１は、本発明の筐体の一例である。本実施の形態におけるハンドル４は、本発明のハンドルの一例である。本実施の形態における支持部材４１及び４２は、本発明の支持部材の一例である。本実施の形態における第１の筐体１の前面１ｄは、本発明の一側面の一例である。本実施の形態における第１の筐体１の側面１ｂ及び１ｃは、本発明の他側面の一例である。本実施の形態における外郭部材４３、４４、４５、４６は、本発明の外郭部材の一例である。本実施の形態におけるリブ１１、１２は、本発明のリブの一例である。本実施の形態における角部４１ｃ、４２ｃは、本発明の屈曲部分の一例である。本実施の形態における液晶ディスプレイ２ａは、本発明の表示部の一例である。本実施の形態における第２の筐体２は、本発明の第２の筐体の一例である。本実施の形態におけるヒンジ部３に備わる回動軸は、本発明の回動軸の一例である。
【００５５】
本実施の形態に関して、以下の付記を開示する。
【００５６】
（付記１）
情報処理手段が内蔵された筐体と、
前記筐体の一側面に配されたハンドルと、
前記筐体の前記一側面に突出して配され、前記ハンドルを支持する支持部材とを備え、
前記支持部材は、
前記一側面から、当該一側面における前記ハンドルの架橋方向に隣接する一対の他側面にかけて、連続的に配され、
前記一側面と前記他側面との間には、屈曲部分を備える、情報処理装置。
【００５７】
（付記２）
前記支持部材は、一対の外郭部材を含み、
前記筐体は、前記一側面から前記支持部材の突出方向に突出するリブを備え、
前記リブは、前記筐体に一体形成され、
前記一対の外郭部材は、前記リブを挟持するように配されている、付記１記載の情報処理装置。
【００５８】
（付記３）
前記リブは、前記他側面における前記一側面側の一部に、前記ハンドルの架橋方向にも突出する、付記２記載の情報処理装置。
【００５９】
（付記４）
前記外郭部材は、前記屈曲部分の肉厚を、他の部分の肉厚よりも厚くした、付記２記載の情報処理装置。
【００６０】
（付記５）
前記情報処理手段で処理された情報に基づく画像を表示する表示部を配した第２の筐体と、
前記筐体及び前記第２の筐体の回動により、前記筐体及び前記表示部を離隔した第１の状態と、前記筐体に前記表示部を密接させた第２の状態とを形成し得る回動軸とをさらに備え、
前記第２の状態において、前記支持部材の前記一側面側及び前記屈曲部分は、前記第２の筐体の周縁部より突出して配されている、付記１〜４のいずれか一項に記載の情報処理装置。
【産業上の利用可能性】
【００６１】
本発明の情報処理装置は、ハンドルを備えた機器に有用である。
【符号の説明】
【００６２】
１  第１の筐体
１ｂ、１ｃ  側面
１ｄ  前面
２  第２の筐体
２ａ  液晶ディスプレイ
４  ハンドル
１１、１２  リブ
４１、４２  支持部材
４１ｃ、４２ｃ  角部
４３、４４、４５、４６  外郭部材
【図１】
2010079884.tif 000003
【図２】
2010079884.tif 000004
【図３】
2010079884.tif 000005
【図４】
2010079884.tif 000006
【図５Ａ】
2010079884.tif 000007
【図５Ｂ】
2010079884.tif 000008
【図５Ｃ】
2010079884.tif 000009
【図５Ｄ】
2010079884.tif 000010
【図５Ｅ】
2010079884.tif 000011
【図６】
2010079884.tif 000012
【図７】
2010079884.tif 000013